(57)【要約】【課題】小径の取付孔に取り付けられ、ガタツキを抑えることができるハーネスの留め具を提供する。【解決手段】ハーネスを取付部材に留めるための留め具１０は、フランジ部３２、および表側から裏側に貫通する挿入孔３４を有する頭部２０と、頭部２０の表側に設けられ、ハーネスを留めるためのバンド部２２と、頭部２０の裏側に設けられ、取付部材の円形の取付孔の縁に係止する係止部２４と、頭部２０の裏側に設けられ、係止部２４に離間して対向する壁部２６と、を備える。挿入孔３４は、壁部２６と係止部２４の間に開口し、バンド部２２を受け入れ可能であり、係止部２４は、取付部材の取付孔の縁に係止する一対の弾性係止部４０を有する。一対の弾性係止部４０が取付孔の縁に係止した場合に、取付孔の中心軸に対して壁部２６と離間するように偏心する位置に設けられる。【選択図】図１
2015105712.tif 000002
【特許請求の範囲】
【請求項１】
ハーネスを取付部材に留めるための留め具であって、
フランジ、および表側から裏側に貫通する挿入孔を有する頭部と、
前記頭部の表側に設けられ、ハーネスを留めるためのバンド部と、
前記頭部の裏側に設けられ、取付部材の円形の取付孔の縁に係止する係止部と、
前記頭部の裏側に設けられ、前記係止部に離間して対向する壁部と、を備え、
前記挿入孔は、前記壁部と前記係止部の間に開口し、前記バンド部を受け入れ可能であり、
前記係止部は、取付部材の取付孔の縁に係止する少なくとも一対の弾性係止部を有し、
前記係止部は、一対の前記弾性係止部が前記取付孔の縁に係止した場合に、前記取付孔の中心軸に対して前記壁部と離間するように偏心する位置に設けられることを特徴とする留め具。
【請求項２】
一対の前記弾性係止部は、取付孔の縁に係止した場合に、撓んだ状態となって前記取付孔の縁を付勢し、その反力によって前記壁部を前記取付孔の縁に押し当てることを特徴とする請求項１に記載の留め具。
【請求項３】
前記壁部は、前記係止部に対向する壁部本体と、前記係止部と前記壁部の対向方向の直交方向に前記壁部本体からそれぞれ張り出す一対の張出部と、を有し、
一対の前記張出部は、前記壁部本体の前記直交方向の動きを規制することを特徴とする請求項１または２に記載の留め具。
【請求項４】
前記係止部は、前記頭部から延出し、一対の前記弾性係止部を支持する支持部をさらに有し、
前記弾性係止部は、前記取付孔の縁に当接可能な外面であって先端に向かって内側に湾曲する湾曲係止面と、前記支持部に向かって突出する突起部と、を有することを特徴とする請求項１から３のいずれかに記載の留め具。
【請求項５】
前記弾性係止部は、前記係止部と前記壁部の対向方向に突出する突部をさらに有することを特徴とする請求項１から４のいずれかに記載の留め具。
【請求項６】
ハーネスを所定の取付部材に留めるための留め具であって、
フランジ、および表側から裏側に貫通する挿入孔を有する頭部と、
前記頭部の表側に設けられ、ハーネスを留めるためのバンド部と、
前記頭部の裏側に設けられ、取付部材の取付孔の縁に係止する係止部と、
前記頭部の裏側に設けられ、前記係止部に離間して対向する壁部と、を備え、
前記係止部は、取付部材の取付孔の縁に係止する弾性係止部を有し、
前記弾性係止部は、取付孔の縁に係止した場合に、撓んだ状態で前記取付孔の縁を付勢し、その反力によって前記壁部を前記取付孔の縁に押し当てることを特徴とする留め具。
【発明の詳細な説明】
【技術分野】
【０００１】
本発明は、ハーネスを取り付けるための留め具に関する。
【背景技術】
【０００２】
車両に搭載された電子部品を接続するために複数のハーネスが配設される。ハーネスが自由に動ける状態にあると車両の振動とともに他の部品に接触してハーネスの周面が損なわれうる。例えば、ハーネスを結束して車両の所定の部材に固定することで、ハーネスの動きを抑えることができる。
【０００３】
特許文献１には、車両用のワイヤハーネスを保持して取付パネルの長方形の取付孔に挿着されるベルトクランプが開示される。このベルトクランプは、基板部と、基板部に連設されてワイヤハーネスに巻き付けるための帯部と、基板部から垂設される支柱と、支柱の先端から基板部に向けて折り返し状に形成された一対の係止片と、支柱に形成された帯部用の挿通孔と、支柱の挿通孔内に形成される係合片と、を備える。支柱は四角筒状であり、その対向する両面に係止片がそれぞれ設けられる。支柱内の係合片は帯部の係合歯と係合する。
【先行技術文献】
【特許文献】
【０００４】
【特許文献１】特開平８−１４５０２１号公報
【発明の概要】
【発明が解決しようとする課題】
【０００５】
特許文献１に記載のベルトクランプは、筒状の支柱の開口端から支柱内部の係合片を形成するため、支柱の外径を小さくしようとした場合に支柱内部の係合片の形成が難しくなる。また、ベルトクランプを取付孔に取り付けた場合に、一対の係止片の対向方向のガタツキは抑えられるものの、対向方向に直交する方向のガタツキを抑えることができない。
【０００６】
本発明はこのような課題に鑑みてなされたものであり、その目的は、小径の取付孔に取り付けられ、ガタツキを抑えることができるハーネスの留め具を提供することにある。
【課題を解決するための手段】
【０００７】
上記課題を解決するために、本発明のある態様は、ハーネスを取付部材に留めるための留め具であって、フランジ、および表側から裏側に貫通する挿入孔を有する頭部と、頭部の表側に設けられ、ハーネスを留めるためのバンド部と、頭部の裏側に設けられ、取付部材の円形の取付孔の縁に係止する係止部と、頭部の裏側に設けられ、係止部に離間して対向する壁部と、を備える。挿入孔は、壁部と係止部の間に開口し、バンド部を受け入れ可能であり、係止部は、取付部材の取付孔の縁に係止する少なくとも一対の弾性係止部を有する。係止部は、一対の弾性係止部が取付孔の縁に係止した場合に、取付孔の中心軸に対して壁部と離間するように偏心する位置に設けられる。
【０００８】
この態様によると、係止部と壁部が離間しているため、その間の構造の形成が容易となり、係止部と壁部の全体径を小さくすることが可能となる。また、係止部が取付孔の中心軸に対し壁部から離れるように偏心することで、係止部の一対の弾性係止部も偏心した位置で取付孔に付勢する。この付勢力により取付時の取付孔に対するガタツキを抑えることができる。
【０００９】
本発明の別の態様は、留め具である。この留め具は、ハーネスを所定の取付部材に留めるための留め具であって、フランジ、および表側から裏側に貫通する挿入孔を有する頭部と、頭部の表側に設けられ、ハーネスを留めるためのバンド部と、頭部の裏側に設けられ、取付部材の取付孔の縁に係止する係止部と、頭部の裏側に設けられ、係止部に離間して対向する壁部と、を備える。係止部は、取付部材の取付孔の縁に係止する弾性係止部を有する。弾性係止部は、取付孔の縁に係止した場合に、撓んだ状態で取付孔の縁を付勢し、その反力によって壁部を取付孔の縁に押し当てる。
【００１０】
この態様によると、係止部と壁部が離間しているため、その間の構造の形成が容易となり、係止部と壁部の全体径を小さくすることが可能となる。また、弾性係止部によって壁部を取付孔の縁に押し当てることができるため、取付時の取付孔に対するガタツキを抑えることができる。
【発明の効果】
【００１１】
本発明によれば、ハーネスの留め具において、小径の取付孔に取り付け可能であり、ガタツキを抑えることができる。
【図面の簡単な説明】
【００１２】
【図１】実施形態の留め具の壁部側の斜視図である。
【図２】実施形態の留め具の係止部側の斜視図である。
【図３】図３（ａ）は、留め具の正面図であり、図３（ｂ）は、留め具の側面図であり、図３（ｃ）は、留め具の背面図である。
【図４】図４（ａ）は、留め具の表面図であり、図４（ｂ）は、留め具の裏面図である。
【図５】留め具の内部形状を説明するための図である。
【図６】取付孔へ取り付けた状態の留め具を説明するための図である。
【図７】パネルの取付孔に取り付けた状態の留め具を裏側から見た図である。
【発明を実施するための形態】
【００１３】
図１は、実施形態の留め具１０の壁部２６側の斜視図である。また、図２は、実施形態の留め具１０の係止部２４側の斜視図である。図１（ａ）は留め具１０の頭部２０の表側を、図１（ｂ）は留め具１０の頭部２０の裏側を見た図である。図２（ａ）は頭部２０の裏側を、図２（ｂ）は頭部２０の表側を見た図である。以下の図面に示される同一または同等の構成要素、部材には、同一の符号を付するものとし、適宜重複した説明は省略する。
【００１４】
留め具１０は、車両に配線されるハーネスを、例えば車体パネルやダッシュボードに取り付けるために用いられる。車体パネルおよびダッシュボードは、板状の取付部材であり、留め具１０を取り付けるための円形の取付孔を有する。なお、留め具１０を車体パネルおよびダッシュボード以外の取付孔を有する車載部品に取り付けてもよい。車両の振動により、ハーネスが周囲の部材に接触することを抑えるため、留め具１０はハーネスを取付部材に固定して、ハーネスの動きを抑える。留め具１０は、作業者により取付孔に押し込むことで容易に取り付けることができる。
【００１５】
留め具１０は、頭部２０、バンド部２２、係止部２４、壁部２６および係合部（不図示）を備える。頭部２０は、取付部材の取付孔の縁に係止し、ハーネスと取付部材との接触を抑える。頭部２０は、基部３０、ガイド部３１、フランジ部３２および挿入孔３４を有する。
【００１６】
基部３０は円形の平板状に形成される。フランジ部３２は、基部３０の外周から径方向外向きに張り出し、径方向外向きに垂下するように傾斜し、傘状に形成される。フランジ部３２は、取付時に取付孔の表側の縁に係止する。
【００１７】
図１（ａ）に示す挿入孔３４は、基部３０を表側から裏側に貫通する貫通孔として形成される。挿入孔３４は、バンド部２２の断面形状に応じて長方形状に形成される。図１（ａ）に示す一対のガイド部３１は、基部３０の表面に突出するように形成され、挿入孔３４の周囲に形成される。ガイド部３１は、挿入孔３４へのバンド部２２の挿入をガイドする。
【００１８】
バンド部２２は、頭部２０の表側において基部３０の表面から延出するように設けられ、ハーネスを頭部２０に留める。バンド部２２は、一つまたは複数のハーネスを巻いて留め具１０に固定する。図１（ａ）および（ｂ）に示すように、バンド部２２は、歯部２２ａ、先端部２２ｂおよび基端部２２ｃを有する。複数の歯部２２ａは、バンド部２２の裏面に形成され、段状に連なって形成される。
【００１９】
先端部２２ｂは挿入孔３４へ挿入容易にテーパ状に形成される。基端部２２ｃは、二股状に基部３０に連結する。基端部２２ｃは、基部３０に対し斜めに立設する。図２（ａ）および（ｂ）に示すようにバンド部２２の表面には歯部２２ａが形成されておらず滑らかである。バンド部２２は歯部２２ａが形成された裏面でハーネスを巻き込む。
【００２０】
係止部２４は、頭部２０の裏側に設けられ、取付時に取付孔の縁に係止する。係止部２４は、支持部２４ａ、弾性係止部４０、段部４２、第１突部４４、第２突部４６、内方突起部４８および湾曲係止部５０を有する。
【００２１】
支持部２４ａは、頭部２０の裏面から延出して柱状に立設する。一対の弾性係止部４０は、支持部２４ａの両側面から折り返すように延出する。支持部２４ａは、一対の弾性係止部４０を支持する。一対の弾性係止部４０は、弾性を有して同方向に撓み可能であり、支持部２４ａに対して対称である。一対の弾性係止部４０の形状は同じである。
【００２２】
弾性係止部４０の中途にて、段部４２が形成され、段部４２から湾曲係止部５０がさらに延出する。湾曲係止部５０は弾性係止部４０の根元より薄肉に形成され、撓みやすい。湾曲係止部５０は、取付孔の縁に当接可能な外面であって内向きに湾曲する湾曲係止面を有する。弾性係止部４０における内向きとは、少なくとも支持部２４ａに向かう方向であり、外向きとは一対の弾性係止部４０同士が離間する方向である。
【００２３】
図２（ａ）湾曲係止部５０の外面には、段部４２側に第１突部４４および先端側に第２突部４６が形成される。第１突部４４および第２突部４６（これらを特に区別しない場合は、単に「突部」という）は段部４２より小さな段差を有する。第１突部４４および第２突部４６は、軸方向において上下に設けられる。
【００２４】
内方突起部４８は、支持部２４ａに向かって突出し、弾性を有する。内方突起部４８は、弾性係止部４０が内向きに撓み過ぎた場合に、支持部２４ａに当接して弾性係止部４０の過度な撓みを抑える。異なる板厚の取付部材に係止させるため湾曲係止部５０を撓みやすい一方で、内方突起部４８でその撓みを制限している。
【００２５】
壁部２６は、取付時にバンド部２２を保護するために設けられる。壁部２６は、頭部２０の裏側に設けられ、係止部２４に離間して対向する。壁部２６は、頭部２０の裏面から立設する壁部本体５４と、壁部本体５４の両側面から張り出す一対の側方張出部５２とを有する。壁部本体５４および側方張出部５２は、取付孔に当接可能に設けられ、取付時のガタツキを抑えることができる。
【００２６】
図３（ａ）は、留め具１０の正面図であり、図３（ｂ）は、留め具１０の側面図であり、図３（ｃ）は、留め具１０の背面図である。図３（ａ）および（ｃ）に示すように、一対の湾曲係止部５０の外面は、それぞれ１８０度に逆向きに向いていない。すなわち、一対の湾曲係止部５０の外面は、径方向外向き、かつ、ともに正面を向くように設けられる。
【００２７】
図３（ｂ）に示すように、係止部２４および壁部２６は、離間して設けられ、係止部２４および壁部２６の間にスリット２５が設けられる。ところで、係止部２４および壁部２６の間に、バンド部２２が挿入されるため、歯部２２ａを係合させる係合部を設ける必要がある。係止部２４および壁部２６との間にスリット２５を設けることで、係合部を形成しやすくなり、係止部２４および壁部２６を合わせた全周径を小さくすることができる。
【００２８】
図４（ａ）は、留め具１０の表面図であり、図４（ｂ）は、留め具１０の裏面図である。図４（ａ）に示すように挿入孔３４は基部３０に形成され、基部３０裏面に通じる。また、ガイド部３１は挿入孔３４の両側に設けられ、先端部２２ｂを挿入孔３４に挿入しやすくする。
【００２９】
図４（ｂ）に示すように、頭部２０の裏側において係止部２４および壁部２６の間に、係合部３８が形成される。係合部３８は、バンド部２２の歯部２２ａに係合してバンド部２２の抜き方向の動きを抑える。壁部２６の内壁面は、挿入孔３４を囲うように断面が略Ｕ字形状に形成される。壁部本体５４の両端には一対の側方張出部５２が設けられる。側方張出部５２および壁部本体５４の連結部分には円弧より凹んだ窪み部５３が形成される。これにより軽量化してコストを抑えることができる。
【００３０】
弾性係止部４０の段部４２は径方向外向きに側方張出部５２より大きく張り出す。支持部２４ａの外周面は円弧状に形成され、取付孔への挿入時にガイドとして機能する。
【００３１】
図５は、留め具１０の内部形状を説明するための図である。図５（ａ）は図３（ａ）に示す留め具１０の線分Ａ−Ａの断面図であり、図５（ｂ）は図３（ａ）に示す留め具１０の線分Ｂ−Ｂの断面図であり、図５（ｃ）は図３（ａ）に示す留め具１０の線分Ｃ−Ｃの断面図である。
【００３２】
図５（ａ）に示すように、挿入孔３４は、壁部２６と係止部２４の間に貫通し、バンド部２２を受け入れ可能である。これにより、頭部２０の形状をシンプルにして小型化できる。挿入孔３４の軸方向延長空間は、壁部２６と係止部２４の間に位置する。
【００３３】
図５（ａ）に示すように、係合部３８は基部３０の裏面から軸方向に延出して形成され、弾性を有する。係合部３８は、挿入孔３４の軸方向延長空間に張り出す係合面３８ａを有する。バンド部２２の歯部２２ａは係合面３８ａに係合する。挿入孔３４の軸方向延長空間は、壁部２６に収まるようになっており、壁部２６はバンド部２２を側方および正面から保護する。バンド部２２は、先端部２２ｂから挿入孔３４に挿入し、複数のハーネスを囲んで締め付ける。バンド部２２を挿入孔３４した後、バンド部２２の先端部分の余りは切断される。
【００３４】
係止部２４および壁部２６が向かい合う方向を対向方向という。図５（ｂ）および（ｃ）に示すように第１突部４４および第２突部４６は対向方向外向きに突出する。
【００３５】
図６は、取り付け状態の留め具１０を説明するための図である。図６（ａ）は薄板の第１パネル１２ａに取り付けた状態の留め具１０を示し、図６（ｂ）は厚板の第２パネル１２ｂに取り付けた状態の留め具１０を示す。薄板である第１パネル１２ａ（図面右側）と、厚板である第２パネル１２ｂ（図面左側）に取り付けたときの弾性係止部４０の状態をそれぞれ示す。また、点線で示す弾性係止部４０は、取り付け前の自由状態を示す。第１取付孔１４ａおよび第２取付孔１４ｂは同一径である。
【００３６】
薄板の第１パネル１２ａの第１取付孔１４ａに取り付けた場合、湾曲係止部５０は、内向きに小さく撓んで、湾曲係止部５０の外面が裏側の孔縁に係止する。一方、厚板の第２パネル１２ｂの第２取付孔１４ｂに取り付けた場合、湾曲係止部５０は、内向きに大きく撓んで、湾曲係止部５０の外面および段部４２が裏側の孔縁に係止する。
【００３７】
このように湾曲係止部５０の外周面を内向きに湾曲させることで、異なる板厚のパネルに湾曲係止部５０を当接させることができ、外面に多段の爪を設けるより多くの種類の板厚に対応できる。
【００３８】
また、多段の爪によって第１取付孔１４ａに係止させる場合、取付孔の挿入時に爪が係止したか分かりづらい。一方、湾曲係止部５０の湾曲した外面は、第１取付孔１４ａの孔縁に容易に当接され、取付作業が容易になる。
【００３９】
また、湾曲係止部５０の内面に、支持部２４ａに向かって突出する内方突起部４８が形成されており、内方突起部４８の先端が支持部２４ａに当接する。内方突起部４８によって、湾曲係止部５０の過度な撓みを抑えることができる。これにより、湾曲係止部５０が撓んで留め具１０ががたつくことを抑えることができる。また、内方突起部４８が弾性を有することで、第１パネル１２ａが振動した場合に、湾曲係止部５０の動きを内方突起部４８でいっそう抑えることができる。
【００４０】
図７は、パネル１２の取付孔１４に取り付けた状態の留め具１０を裏側から見た図である。図７では取付孔１４の中心１０２を通り、かつ、係止部２４および壁部２６の対向方向に直交する線分１００を示す。
【００４１】
円形の取付孔１４を線分１００で２分割した場合に、一方の半円領域に係止部２４が設けられ、他方の半円領域に壁部２６が設けられる。係止部２４は取付孔１４の中心軸に対して壁部と離間するように偏心した位置に設けられる。取付孔１４の中心軸に対して壁部と離間するように偏心した位置とは、一対の弾性係止部４０において、取付孔１４の縁に対する係止位置の中間点１１０が取付孔１４の中心１０２から、壁部から離間する方向にずれるように設けられることをいう。そのため、弾性係止部４０は、撓んだ状態で取付孔１４の縁に係止し、係止位置から径方向の付勢力１０４を有する。
【００４２】
弾性係止部４０の径方向の付勢力１０４は、係止部２４および壁部２６が対向する方向の付勢力１０８と、その対向方向に直交する方向の付勢力１０６に分解される。一対の弾性係止部４０の対向方向の付勢力１０６は、孔縁から係止部２４の係止が外れないようにできる。また、直交方向の付勢力１０８によって生じる反力１１０により、壁部２６の壁部本体５４を取付孔１４の内周面に付勢することができる。つまり、係止部２４を中心軸からずらすことで壁部２６を取付孔１４の孔縁に押し当てることができる。取付孔１４の孔縁に取付孔１４が係止した場合に、壁部２６を取付孔１４の内周面に押しつけてガタツキを抑えることができる。
【００４３】
また、係止部２４および壁部２６を離間して設けることで、係合部３８の形成が容易となり、係止部２４および壁部２６を小径化が可能となる。一方で、バンド部２２の防護壁である壁部２６は撓みやすくなる。弾性係止部４０によって壁部２６を取付孔の縁に押し当てることで、この壁部２６が係止部２４から離れるように変形することを抑え、バンド部２２の保護をすることができる。
【００４４】
壁部２６は、一対の弾性係止部４０が取付孔１４の孔縁に係止した場合に、取付孔１４の内周に当接可能に設けられる。弾性係止部４０の付勢により、壁部２６を取付孔１４の内周面に当接させることができる。
【００４５】
第１突部４４は、対向方向および径方向外向きに突出する。第１突部４４は、取り付け後の取付孔１４からの抜け止めとして機能する。第２突部４６も同様に取付孔１４からの抜け止めとして機能する。なお、第１突部４４および第２突部４６が取付孔１４の孔縁に係止してもよい。
【００４６】
一対の側方張出部５２は、対向方向の直交方向の壁部本体５４の動きを規制する。これにより、壁部本体５４および側方張出部５２が内周面に当接し、対向方向および直交方向に対してガタツキを抑えることができる。
【００４７】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００４８】
実施形態では、基部３０の表面からバンド部２２が延出する態様を示したが、この態様に限られない。例えば基部３０の側面からバンド部２２が延出する態様であってよい。
【００４９】
実施形態では、係止部２４に一対の弾性係止部４０を設ける態様を示したが、この態様に限られない。例えば、支持部２４ａから壁部２６との対向方向外向きに延出する弾性係止部４０がさらに形成されてもよい。
【００５０】
実施形態では、フランジ部３２が取付孔の孔縁に直接当接する態様を示したが、この態様にかぎられない。例えば、留め具１０の係止部２４および壁部２６に環状のワッシャが保持され、ワッシャとともに取付孔に取り付ける態様であってもよい。取付状態ではワッシャはフランジ部３２と取付孔の孔縁に挟まれる。環状のワッシャにより防水をしてもよい。
【００５１】
実施形態では、留め具１０を円形の取付孔１４に取り付ける態様を示したが、この態様に限られない。例えば、矩形の取付孔に留め具１０を取り付けてよい。この態様では、留め具１０の係止部２４と壁部２６の対向方向は、取付孔の対角線に沿うように配設される。これにより、係止部２４の弾性係止部４０は対向方向に付勢することができる。
【符号の説明】
【００５２】
１０  留め具、  １２  パネル、  １４  取付孔、  ２０  頭部、  ２２  バンド部、  ２２ａ  歯部、  ２２ｂ  先端部、  ２２ｃ  基端部、  ２４  係止部、  ２４ａ  支持部、  ２５  スリット、  ２６  壁部、  ３０  基部、  ３１  ガイド部、  ３２  フランジ部、  ３４  挿入孔、  ３８  係合部、  ３８ａ  係合面、  ４０  弾性係止部、  ４２  段部、  ４４  第１突部、  ４６  第２突部、  ４８  内方突起部、  ５０  湾曲係止部、  ５２  側方張出部、  ５３  窪み部、  ５４  壁部本体。
【図１】
2015105712.tif 000003
【図２】
2015105712.tif 000004
【図３】
2015105712.tif 000005
【図４】
2015105712.tif 000006
【図５】
2015105712.tif 000007
【図６】
2015105712.tif 000008
【図７】
2015105712.tif 000009